(57)【要約】【課題】インターネット上に開設された複数のサイトにおける評価について、統合した評価結果を提供する評価集計装置及び評価集計方法を提供すること。【解決手段】インターネット上に開設された複数のサイトから評価対象の評価結果を示す評価データをそれぞれ受信し、同種の評価対象について、評価対象ごとの評価値を比較し、比較した評価値を同種の評価対象ごとに集計する。そして、表示手段によりその集計結果を表示する。これにより、評価対象について評価を行う複数のサイトにおいて評価された相対評価を知ることができる。【選択図】図１
2010165009.tif 000002
【特許請求の範囲】
【請求項１】
所定の評価対象に対して、複数のＷｅｂサイトにおいて個々に定められた評価基準に基づいて評価された評価データを、前記複数のＷｅｂサイトの各々から受信する評価受信手段と、
前記評価受信手段が受信した前記評価データを、基準データに基づいて数値に変換して比較する相対評価手段と、
前記相対評価手段が行った前記比較の結果に基づいて、前記所定の評価対象についての総合順位を集計する集計手段と、を備えることを特徴とする評価集計装置。
【請求項２】
前記相対評価手段は、前記複数のＷｅｂサイトごとに登録されているユーザごとに前記比較をすることを特徴とする請求項１に記載の評価集計装置。
【請求項３】
通信回線を介して情報を収集し、集計する評価集計方法であって、
所定の評価対象について、複数のＷｅｂサイトにおいて個々に定められた評価基準に基づいて評価された評価データを受信するステップ、
複数の前記評価データについて、前記評価データを、基準データに基づいて数値に変換して比較するステップ、
前記比較の結果に基づいて、前記所定の評価対象についての総合順位を集計するステップ、を含む評価集計方法。
【発明の詳細な説明】
【技術分野】
【０００１】
本発明は、評価集計装置及び評価集計方法に関する。特に、インターネット上に開設された複数のサイト間における評価についての評価集計装置及び評価集計方法に関する。
【背景技術】
【０００２】
インターネット上において、映画や飲食店等の商品やサービスに対する評価がユーザにより行われ、閲覧できるサイト（以下、「評価サイト」とする）が知られている。このような評価サイトでは、評価サイトに予め登録したユーザが評価できるようになっている。また、評価方法も例えば、三つ星や五つ星等の数段階に分かれた評価となっており、１つ星が最も低い評価で、星の数が多くなるにつれ、高い評価であることを示す。そして、ユーザが感じた印象に応じて、適すると思われた個数の星を付けるといった方法が取られている（例えば、特許文献１、非特許文献１）。
【先行技術文献】
【特許文献】
【０００３】
【特許文献１】特開２００８−２４２６０４号公報
【非特許文献】
【０００４】
【非特許文献１】［ｏｎｌｉｎｅ］、Ｙａｈｏｏ！映画、［２００８年１２月１７日検索］、インターネット＜ＵＲＬ：ｈｔｔｐ：／／ｍｏｖｉｅｓ．ｙａｈｏｏ．ｃｏ．ｊｐ＞
【発明の概要】
【発明が解決しようとする課題】
【０００５】
しかし、これらの評価サイトでは独自の評価方法を設定していることが多い。非特許文献１のように星の数で評価するサイトもあれば、「よい」、「わるい」等の言葉で表現するサイトもある。さらには、段階数も異なる。例えば、ある評価対象について、ある評価サイトで３段階評価のうち「２」という評価を得た場合、必ずしも他の評価サイトで５段階評価で「２」に相当するとは限らない。このように、同じ評価対象であっても、異なる評価結果となることが多く、ユーザは確かな情報を得ることができない。
【０００６】
本発明は、複数のＷｅｂサイトにおける評価について、統合した評価結果を提供する評価集計装置及び評価集計方法を提供することを目的とする。
【課題を解決するための手段】
【０００７】
本発明では、以下のような解決手段を提供する。
【０００８】
（１）所定の評価対象に対して、複数のＷｅｂサイトにおいて個々に定められた評価基準に基づいて評価された評価データを、前記複数のＷｅｂサイトの各々から受信する評価受信手段と、前記評価受信手段が受信した前記評価データを、基準データに基づいて数値に変換して比較する相対評価手段と、前記相対評価手段が行った前記比較の結果に基づいて、前記所定の評価対象についての総合順位を集計する集計手段と、を備えることを特徴とする評価集計装置。
【０００９】
（１）に係る発明によれば、複数のＷｅｂサイトから所定の評価対象についての評価データを受信し、基準データに基づいて評価データを数値に変換し、評価対象の総合順位を集計することができる。この評価データは、各Ｗｅｂサイトで独自に定められた評価基準に基づいて、ユーザがある評価対象を評価した結果を示すデータである。これにより、所定の評価対象について、複数のＷｅｂサイトにおいて個々に定められた独自の評価基準で行われていたとしても、全体の総合順位を提供することができる。
【００１０】
（２）前記相対評価手段は、前記複数のＷｅｂサイトごとに登録されているユーザごとに前記比較をすることを特徴とする（１）に記載の評価集計装置。
【００１１】
（２）に記載の発明によれば、（１）に記載の発明に加えて、相対評価手段は、複数のサイトごとに登録されているユーザごとに評価データを比較する。これにより、あるサイトにおけるユーザがした複数の評価対象についての相対評価に基づいてＷｅｂサイトに関係なく統合した評価を知ることができる。
【００１２】
（３）通信回線を介して情報を収集し、集計する評価集計方法であって、所定の評価対象について、複数のＷｅｂサイトにおいて個々に定められた評価基準に基づいて評価された評価データを受信するステップ、複数の前記評価データについて、前記評価データを、基準データに基づいて数値に変換して比較するステップ、前記比較の結果に基づいて、前記所定の評価対象についての総合順位を集計するステップ、を含む評価集計方法。
【００１３】
（３）に係る発明によれば、複数のＷｅｂサイトから所定の評価対象についての評価データを受信し、基準データに基づいて評価データを数値に変換し、評価対象の総合順位を集計する。この評価データは、各Ｗｅｂサイトで独自に定められた評価基準に基づいて、ユーザがある評価対象を評価した結果を示すデータである。これにより、所定の評価対象について、複数のＷｅｂサイトそれぞれにおいて独自の評価基準で行われていたとしても、全体の総合順位を提供することができる。
【発明の効果】
【００１４】
本発明によれば、複数のＷｅｂサイトにおける評価について、統合した評価結果を提供する評価集計装置及び評価集計方法を提供することができる。
【図面の簡単な説明】
【００１５】
【図１】本発明の一実施形態に係るシステムの概要及び評価集計装置の機能構成図である。
【図２】本発明の一実施形態に係る基準データテーブルを示す図である。
【図３】本発明の一実施形態に係るユーザ別評価値テーブルを示す図である。
【図４】本発明の一実施形態に係る集計テーブルを示す図である。
【図５】本発明の一実施形態に係る評価集計装置の処理を示すフローチャートである。
【図６】本発明の一実施形態に係る評価集計装置の処理を示すフローチャートである。
【図７】本発明の一実施形態に係るクライアント装置の表示部に表示される表示例を示す図である。
【図８】本発明の一実施形態に係るクライアント装置の表示部に表示される表示例を示す図である。
【図９】本発明の実施形態に係る番組編集サーバのハードウェア構成の一例を示す図である。
【発明を実施するための形態】
【００１６】
以下、本発明の実施形態について図を参照しながら説明する。
【００１７】
図１を参照して評価集計装置１０を含むシステム１の全体概要について説明する。図１は、システム１の概要及び評価集計装置１０の機能構成を示す図である。
【００１８】
システム１は、評価集計装置１０、インターネット４０、評価集計装置１０に対して相対評価のデータを要求するクライアント装置３０ａ，３０ｂ及びインターネット４０に複数のウェブサイトを開設する複数のサーバ２０ａ，２０ｂ，２０ｃ・・・（以下、総称して「サーバ２０」とする）を有する。
【００１９】
評価集計装置１０は、クライアント装置３０からの要求に応じて、インターネット４０上に開設された複数のウェブサイトにおいて行われている評価対象についての評価データをそれぞれ受信し、評価対象ごとの相対評価を集計してクライアント装置３０ａ，３０ｂに表示させる。
【００２０】
サーバ２０は、インターネット４０において、いわゆるウェブサイトを開設するサーバである。そして、例えば当該ウェブサイトに登録したユーザが何らかの評価対象について評価を行った評価データを、評価集計装置１０の要求に応じて評価集計装置１０に送信する。
【００２１】
クライアント装置３０は、インターネット４０に開設されたウェブサイトをサーバ２０に接続して表示部に表示する。また、評価集計装置１０に閲覧要求を送信し、評価集計装置１０から評価データの集計結果を受信して表示部に表示する。
【００２２】
クライアント装置３０ａ，３０ｂ（以下、総称する場合は「クライアント装置３０」とする）は、いわゆるパーソナルコンピュータ３０ａや、携帯電話を始めとする携帯端末３０ｂなどのインターネット４０に接続可能な装置であれば特に限定されない。また、本明細書においては、それぞれが単一の装置として示しているが、クライアント装置３０ａ，３０ｂは、それぞれが複数の装置であってよい。
【００２３】
図１から図４を参照して評価集計装置１０について説明する。図２は、基準データテーブルを示す図である。図３は、ユーザ別評価値テーブルを示す図である。図４は、集計テーブルを示す図である。
【００２４】
評価集計装置１０は、処理部として、評価データ受信部１１、相対評価部１２、集計部１３、表示要求受信・データ送信部１４とを有する。また、記憶部として、基準データ記憶部１６、評価結果記憶部１７、集計データ記憶部１８及びランキングデータ記憶部１９を備える。
【００２５】
評価データ受信部１１は、インターネット４０に開設されたウェブサイトから評価対象の評価結果を示す評価データを受信する。詳細には、評価データ受信部１１は、ウェブサイトを開設するサーバ２０に評価データについての要求信号を送信し、当該要求信号に応答して送信された評価データを受信する。評価データ受信部１１は、評価データを受信した場合には、当該評価データを相対評価部１２に送る。
【００２６】
ここで評価対象は、ウェブサイトにおいて実施されている評価の対象をいう。例えば、映画や飲食店、化粧品・洋服等のファッションに関する物、人物や投稿された意見、コラム、通信販売等の役務提供者等、特に限定されない。
【００２７】
また、評価データは、複数のウェブサイトにおいて独自に設けられている評価基準に基づいて、当該ウェブサイトのユーザが行った評価を示すデータである。この評価基準は、複数の段階が設定されているものであり、ユーザはその複数の段階のうち、一の段階を選択することにより、評価を行うものとする。例えば、ある映画は、５段階評価（最高五つ星）のうちの３段階目（星が３つ）であるといった評価である。
【００２８】
また、評価データには、ある評価対象についての評価結果であるデータと共に、評価対象について評価を行ったユーザの情報も含む。ユーザの情報とは、例えば、評価を行うについてウェブサイトに登録が必要な場合には、その登録時に登録した登録ＩＤ等の当該ウェブサイトにおいて一意に決定される番号又は文字列などのデータである。したがって、あるユーザが複数の評価対象について評価した場合には、ユーザＩＤ等で判別して同じユーザによる相対評価を求めることができる。
【００２９】
相対評価部１２は、評価受信手段が受信した評価データから、所定の評価対象ごとの評価値を比較する。詳細には、まず、相対評価部１２は、基準データ記憶部１６から、評価データが送信されたサーバ２０における評価の基準データ（図２参照）を読み込む。そして、各ウェブサイトにおける評価それぞれを評価値に変換する。この処理の結果は、例えば、図３のようなユーザ別評価値テーブルとして表現することができる。
【００３０】
図２に示す基準データテーブルは、評価対象に対して評価を行っているウェブサイトの評価基準を数値に変換するテーブルである。また、各ウェブサイトにおける評価を評価値として数値に変換し、相対評価部１２で比較できるようにするためのテーブルである。図２には、ウェブサイトＡ及びウェブサイトＢの基準データテーブルを示している。例えば、ウェブサイトＡでは、映画について５段階評価を行っており、高評価の順に五つ星、四つ星、三つ星、二つ星、一つ星という評価となっている。これを相対評価部１２で比較するため、評価値として数値に変換する。例えば、図２（１）では、それぞれ高評価から５、４、３、２、１といったように数値で表せるように五つ星評価を対応する数値に変換する。
【００３１】
また、図２（２）はウェブサイトＢにおける映画の基準データテーブルである。ウェブサイトＢでは、映画について３段階評価を行っており、高評価の順に「よい」、「普通」、「悪い」という評価となっている。これを相対評価部１２で比較するため、評価値として数値に変換する。例えば、図２（２）では、それぞれ高評価から３、２、１といったように数値で表せるように対応する数値に変換する。このように、ウェブサイトごとに当該ウェブサイトで行われている評価方式や評価対象に対応してテーブルが設けられている。
【００３２】
相対評価部１２は、ウェブサイトにおける評価を評価値として数値に変換すると、これらの値をそれぞれ比較する。例えば、評価値に変換した場合、各ウェブサイトにおける各ユーザごとのテーブルとして表現される（図３参照）。図３は、各評価を評価値に変換した場合のユーザ別評価値テーブルの例である。図３では、ウェブサイトＡにおけるユーザＸ（図３（１）参照）とユーザＹ（図３（２）参照）、及びウェブサイトＢにおけるユーザＺ（図３（３）参照）とユーザＷ（図３（４）参照）についてのユーザ別評価値テーブルである。それぞれ各ウェブサイトにおいて、各ユーザは映画「ａｂｃ」、「ｃｄｅ」、「ｆｇｈ」について行った評価を評価値に変換した結果を示す。
【００３３】
次に、相対評価部１２は、評価値（数値）に変換した評価データをユーザごとに比較する。詳細には、同種の評価対象について、ユーザごとの評価データを比較する。例えば、ウェブサイトＡ及びウェブサイトＢにおいて「映画」について、ユーザＡが「ａｂｃ」、「ｃｄｅ」、「ｆｇｈ」という３つの映画について評価をしている場合、３つの映画について、互いに重複しない２つずつの組み合わせを作成し、それぞれどの映画よりどの映画を高評価しているかについて比較する。具体的には、相対評価部１２は、３つの映画について、を作成し、それぞれどちらを高く評価しているかを図３のユーザ別評価値テーブルに基づいて比較する。
【００３４】
例えば、図３のユーザ別評価値テーブルによると、ウェブサイトＡにおけるユーザＡ（図３（１）参照）による評価値は、映画「ａｂｃ」が評価値「５」、映画「ｃｄｅ」が評価値「３」、映画「ｆｇｈ」が評価値「２」となる。そこで、相対評価部１２は、上記組み合わせにおいて評価値を比較し、どちらの映画が高く評価されているかを判断する。すると、映画「ａｂｃ」と「ｃｄｅ」とでは、評価値はそれぞれ「５」と「３」であり、映画「ａｂｃ」の評価値「５」の方が大きいので、ユーザＡは映画「ａｂｃ」が映画「ｃｄｅ」よりも高く評価していることになる。また、映画「ａｂｃ」と「ｆｇｈ」とでは、評価値はそれぞれ「５」と「１」であり、映画「ａｂｃ」の評価値「５」の方が大きいので、ユーザＡは、映画「ａｂｃ」を映画「ｆｇｈ」よりも高く評価していることになる。さらに、映画「ｃｄｅ」と「ｆｇｈ」とでは、評価値はそれぞれ「３」と「１」であり、映画「ｃｄｅ」の評価値「３」の方が大きいので、ユーザＡは、映画「ｃｄｅ」を映画「ｆｇｈ」よりも高く評価していることになる。
【００３５】
このように、相対評価部１２は、各ウェブサイトにおける評価について、評価値に変換し、ユーザごとに相対評価を行う。具体的には、図３に示すユーザ別評価値テーブルそれぞれについて、上記と同様の相対評価を行う。
【００３６】
集計部１３は、相対評価部１２が行った相対評価を集計する。詳細には、各ウェブサイト間及び各ユーザで行われた相対評価について、その数を集計し、ランキングを作成する。
【００３７】
上記の例で説明する。まず、集計部１３は、相対評価部１２において行われた比較により、３つの映画「ａｂｃ」、「ｃｄｅ」、「ｆｇｈ」の組み合わせにおける比較結果を集計する。集計結果は、例えば、図４に示すような集計テーブルとして表現することができる。
【００３８】
図４の集計テーブルは、上述の例における集計結果を示している。３つの映画「ａｂｃ」、「ｃｄｅ」、「ｆｇｈ」について、映画「ａｂｃ」と「ｃｄｅ」、映画「ａｂｃ」と「ｆｇｈ」、映画「ｃｄｅ」と「ｆｇｈ」という組み合わせごと及び評価ごとにその数を集計している。図４（１）は、映画「ａｂｃ」と「ｃｄｅ」の組み合わせで、映画「ａｂｃ」が映画「ｃｄｅ」より高い評価（テーブル内の「＞」の欄）をした数が４、映画「ａｂｃ」より映画「ｃｄｅ」を高く評価（テーブル内の「＜」の欄）した数が０（ゼロ）、また、映画「ａｂｃ」と映画「ｃｄｅ」を同じ評価（テーブル内の「＝」の欄）とした数が０（ゼロ）であることを示している。そして、集計部１３は、その結果、最も数が多い評価を総合評価として決定する。図４（１）のテーブルでは、映画「ａｂｃ」が映画「ｃｄｅ」より高い評価（テーブル内の「＞」の欄）をした数が最も大きいことから、映画「ａｂｃ」と映画「ｃｄｅ」とを比較すると、映画「ａｂｃ」の方が高い評価となる。「判定」の欄は、この総合評価の結果を示している。
【００３９】
図４（２）及び図４（３）は、それぞれ同様に、映画「ａｂｃ」と映画「ｆｇｈ」、映画「ｃｄｅ」と映画「ｆｇｈ」との組み合わせにおいて上記と同様に総合評価を集計している。ここで、図４（３）においては、映画「ｃｄｅ」より映画「ｆｇｈ」を高い評価とした数と、映画「ｆｇｈ」より映画「ｃｄｅ」を高い評価とした数が同数である。この場合には、総合評価としては、どちらの結果も採用され、意見が割れているという結果となる。
【００４０】
次に、集計部１３は、これらの総合評価の結果に基づいてランキングを作成する。最も高く評価されている順に評価対象のランキングを作成する。上述の例でいうと、映画「ａｂｃ」＞映画「ｃｄｅ」であり、映画「ａｂｃ」＞映画「ｆｇｈ」となる。また、映画「ｃｄｅ」と映画「ｆｇｈ」については、映画「ｃｄｅ」＞映画「ｆｇｈ」という評価と映画「ｃｄｅ」＜映画「ｆｇｈ」という評価が同数である。したがって、映画「ｃｄｅ」及び映画「ｆｇｈ」に共通して高い評価であるのは映画「ａｂｃ」であるので、映画「ａｂｃ」がランキングの１位である。また、映画「ｃｄｅ」と「ｆｇｈ」とは、相互に矛盾する総合評価となっているので、「意見が割れている」という結果となる。
【００４１】
表示要求受信・データ送信部１４は、クライアント装置３０から、総合評価の結果を示すデータの要求を受信し、該当するデータを要求を受信したクライアント装置３０に送信する。表示要求受信・データ送信部１４は、クライアント装置３０から表示要求を受信すると、集計データ記憶部１８及びランキングデータ記憶部１９を参照して、集計データやランキングデータを読み出してクライアント装置３０に送信する。そして、集計データやランキングデータを受信したクライアント装置３０は、表示部にこれらのデータを表示する。
【００４２】
基準データ記憶部１６は、各ウェブサイトにおいて行われる評価を評価値に変換するための基準データテーブルを記憶する記憶部である。この基準データテーブル（図２）は、予め作成され、基準データ記憶部１６に記憶されており、相対評価部１２により参照される。基準データテーブルの詳細については、上述の通りであるので説明は省略する。
【００４３】
評価結果記憶部１７は、相対評価部１２により基準データテーブルに基づいて各評価を評価値に変換した結果を記憶する記憶部である。具体的には、図３のユーザ別評価値テーブルを記憶する。これは、相対評価部１２が基準データテーブルに基づいて評価値に変換する処理が行われたのち、相対評価部１２により評価結果記憶部１７に記憶される。ユーザ別評価値テーブルの詳細については、上述の通りであるので説明は省略する。
【００４４】
集計データ記憶部１８は、集計部１３が集計した結果を示すデータを記憶する記憶部である。例えば、上述の集計テーブルを記憶する。集計テーブルの詳細については、上述の通りであるので説明は省略する。
【００４５】
ランキングデータ記憶部１９は、集計部１３が作成したランキングデータを記憶する。
【００４６】
図５及び図６を参照して、評価集計装置１０における処理について説明する。図５及び図６は評価集計装置１０における処理を示すフローチャートである。
【００４７】
始めに、評価データ受信部１１は、所定の評価対象について評価を行うウェブサイトを開設するサーバ２０に対して評価データを要求する要求信号を送信する。（ステップＳ１１）。この要求信号の送信は、予め所定時間ごとに行われるものであってよく、又は管理者の操作に応じて行われるものであってもよい。さらには、特定のサーバ２０にのみ送信するようにしてもよく、複数のサーバ２０に対して同時に送信するようにしてもよい。これらは評価集計装置１０の管理者が任意に定めることができる。
【００４８】
ステップＳ１２では、評価データ受信部１１は、評価データを受信したか否かを判別する。評価データを受信した場合（ステップＳ１２でＹＥＳの場合）には、評価データを相対評価部１２に送り、ステップＳ１３に移る。また、受信していない場合は、ステップＳ１１に戻る。
【００４９】
ステップＳ１３では、相対評価部１２は、評価データを評価値に変換する。相対評価部１２は、基準データ記憶部１６の基準データテーブル（図２）を参照し、各ウェブサイトで行われている評価を評価値に変換する。その結果は、各ウェブサイトにおけるユーザ別にユーザ別評価値テーブル（図３）として表現され、評価結果記憶部１７に記憶される。
【００５０】
ステップＳ１４では、相対評価部１２は、評価値を比較する。詳細には、相対評価部１２は、変換した評価値について、ユーザ別評価値テーブルごとに評価対象の数に応じて一対一で比較する組み合わせを作成する。そして、各組み合わせ毎にどちらの評価値が大きいかを比較する。相対評価部１２は、その結果を集計部１３に送る。
【００５１】
ステップＳ１５では、集計部１３では集計処理を行う。詳細には、集計部１３は、相対評価部１２がステップＳ１４において比較した結果について、評価対象の組み合わせ毎に集計テーブルを作成する（図４参照）。すなわち、各評価対象の組み合わせについて個々のデータを比較した結果、その比較結果の数（例えば、大なり、小なり、イコールの数）を集計する。そして、集計した結果、最も数の多い評価を当該組み合わせの総合評価とする。また、集計した結果、複数の評価結果が同数である場合は、そのまま総合評価とする。これらの処理が終了した場合には、集計データ記憶部１８に記憶し、ステップＳ１６に移る。
【００５２】
ステップＳ１６では、集計部１３は、ランキングデータを作成する。集計部１３は、集計データ記憶部１８に記憶した集計テーブルの総合評価に基づいて、評価対象のランキングデータを作成する。詳細は後述する。この処理が終了した場合には、本フローチャートの処理を終了する。
【００５３】
図６を参照して、ランキングデータ作成処理について説明する。図６は、ランキングデータ作成処理のフローチャートである。
【００５４】
ステップＳ２１では、集計部１３は、評価対象について、仮の数値を割り当てる。例えば、上述の例において「ａｂｃ」、「ｃｄｅ」、「ｆｇｈ」の３つの映画について順位を付ける場合を説明する。この場合、評価対象は３つとなるので、仮に、値を映画「ａｂｃ」に１、映画「ｃｄｅ」に２、映画「ｆｇｈ」に３を割り当てる。
【００５５】
ステップＳ２２では、集計部１３は、任意の組み合わせを読み込む。具体的には、集計データ記憶部１８に記憶された集計テーブルを読み込む。例えば、図４（１）の集計テーブルを読み込んだ場合、その比較した組み合わせは、映画「ａｂｃ」と映画「ｃｄｅ」である。
【００５６】
ステップＳ２３では、集計部１３は、ステップＳ２２で読み込んだ組み合わせについて、総合評価欄に格納された符号から、ステップＳ２１で割り振った値に矛盾があるか否かを判別する。この判別で矛盾が無い場合（ステップＳ２３でＮＯの場合）は、現在の値を一時的に保存してステップＳ２６に移る。また、集計部１３が矛盾があると判別した場合（ステップＳ２３でＹＥＳの場合）には、ステップＳ２４に移る。具体的には、ステップＳ２２で読み込んだ映画「ａｂｃ」と映画「ｃｄｅ」の組み合わせの場合、総合評価は「＞」である（図４（１）参照）。また、ステップＳ２１で割り振った値は、それぞれ１と２であるので、代入すると「１＞２」となり、矛盾が生じる。したがってこの場合の判別は、ＹＥＳとなる。
【００５７】
ステップＳ２４では、集計部１３は、総合評価は矛盾するか否かを判別する。詳細には、集計テーブルの総合評価欄において、複数の符号が格納されているか否かを判別する（例えば、図４（３）の状態など）。総合評価が矛盾する場合（ステップＳ２４でＹＥＳの場合）はステップＳ２５に移り、総合評価が矛盾しない場合（ステップＳ２４でＮＯの場合）はステップＳ２１に戻る。
【００５８】
ステップＳ２５では、集計部１３は、矛盾する組み合わせをランキングデータを作成する対象から除外し、これを一時的にメモリに記憶する。この処理が終了した場合には、ステップＳ２１に戻る。すなわち、集計結果の総合評価が複数ある場合には、順位を判断することができないので、この組み合わせを除外し、意見が割れているものとしてランキングとは別に扱う。
【００５９】
ステップＳ２６では、集計部１３は、全ての組み合わせを比較したか否かを判別する。全ての組み合わせを比較していない場合（ステップＳ２６でＮＯの場合）にはステップＳ２２に移る。また、全ての組み合わせを比較した場合（ステップＳ２６でＹＥＳの場合）には、ステップＳ２７に移る。
【００６０】
ここで、上記の例でステップＳ２３においてＹＥＳの場合を説明する。ステップＳ２３でＹＥＳの場合、ステップＳ２４に移る。上述の例によると、映画「ａｂｃ」と映画「ｃｄｅ」との組み合わせでは、総合評価の符号は１つだけなので、総合評価は矛盾していないと判断され（ステップＳ２４）、ステップＳ２１に戻る。
【００６１】
ステップＳ２１に戻ると、新たに仮の値が割り振られる。この場合、前回のステップＳ２２で読み込んだ組み合わせにおいて、矛盾しない値が割り振られる。すなわち、映画「ａｂｃ」＞映画「ｃｄｅ」となる値である。すると、映画「ａｂｃ」については、映画「ｃｄｅ」の値より大きいか、又は映画「ｃｄｅ」の値を映画「ａｂｃ」の値より小さく、加えてすでに割り振られている映画「ｆｇｈ」の３以外の値が割り振られる。例えば、映画「ａｂｃ」には４の値が割り振られる。
【００６２】
ステップＳ２２では、前回のステップＳ２３の判別でＹＥＳとなったので、再度映画「ａｂｃ」と映画「ｃｄｅ」の組み合わせが読み込まれる。そしてステップＳ２３に移ると、新たに割り振られた値で映画「ａｂｃ」と映画「ｃｄｅ」の組み合わせの総合評価に矛盾しないかが判別される。すると、映画「ａｂｃ」：映画「ｃｄｅ」＝４＞２で矛盾しない。したがって、ステップＳ２３の判別で「ＮＯ」となり、ステップＳ２６に移る。
【００６３】
ステップＳ２６では、まだ全ての組み合わせを比較していないので、判別は「ＮＯ」となり、ステップＳ２２に移る。ステップＳ２２で次の集計テーブルの組み合わせ（映画「ａｂｃ」と映画「ｆｇｈ」の組み合わせ）を読み込む。ステップＳ２３で値を比較すると、映画「ａｂｃ」：映画「ｆｇｈ」＝４＞３であるので、矛盾しない結果となる。また、前回の映画「ａｂｃ」と映画「ｃｄｅ」の組み合わせとも矛盾しない。したがって、ステップＳ２３の判別で「ＮＯ」となり、ステップＳ２６に移る。
【００６４】
ステップＳ２６では、まだ比較していない組み合わせ（映画「ｃｄｅ」と映画「ｆｇｈ」、図４（３））があるので、判別は「ＮＯ」となり、ステップＳ２２に移る。そして、集計部１３は、映画「ｃｄｅ」と映画「ｆｇｈ」の組み合わせを読み込む。この場合、集計テーブルの総合評価の欄には、２つの符号（＜と＞）が格納されている。したがって、現在の値（映画「ａｂｃ」が４、映画「ｃｄｅ」が２、映画「ｆｇｈ」が３）では、必ず矛盾することになり、ステップＳ２３の判別は「ＹＥＳ」となるのでステップＳ２４に移る。
【００６５】
ステップＳ２４では、集計テーブルの総合評価の欄に矛盾があるか否かが判断される。この場合、矛盾するのでステップＳ２４の判別は「ＹＥＳ」となり、ステップＳ２５に移る。ステップＳ２５では、この組み合わせを除外してランキングデータ記憶部１９に記憶し、ステップＳ２６に移る。これで全ての組み合わせを比較したので、ステップＳ２６では、「ＹＥＳ」となり、ステップＳ２７に移る。
【００６６】
ステップＳ２７では、集計部１３は、ランキングデータを作成する。詳細には、これまでの処理において、割り振られた仮の値に基づいて、ランキングを作成する。上記の例でいうと、映画「ａｂｃ」が４、映画「ｃｄｅ」が２、映画「ｆｇｈ」が３となるので、順位は上位から映画「ａｂｃ」、映画「ｆｇｈ」、映画「ｃｄｅ」となる。さらに集計部１３は、矛盾するとした組み合わせについて「意見が割れている」という組み合わせとしてランキングデータに含める。この処理が終了した場合には、本フローチャートの処理を終了する。
【００６７】
図７及び図８を用いてクライアント装置３０の表示部５０に表示される表示例について説明する。図７及び図８は、評価対象が映画の場合におけるクライアント装置３０の表示部５０に表示される表示例を示す図である。
【００６８】
表示部５０には、映画詳細情報５１、総合評価５２、参考データ５３、総合ランキング５４が表示される。映画詳細情報５１は、クライアント装置３０を操作するユーザが指定した映画名（映画「ａｂｃ」）及び映画の詳細情報が記載されている。また、総合評価５２には、現在の映画詳細情報５１に表示されている評価対象についての総合評価が表示される。ここに表示される文章その他の表現は、総合ランキングの順位に応じて所定の表現で表示される。また、評価時に登録されたコメントの一部であってもよい。
【００６９】
参考データ５３には、詳細な比較結果のデータが表示される。例えば、集計テーブル（図４）に基づいて、ある組み合わせについてどのような評価をした人が何人いるか等が表示される。
【００７０】
総合ランキング５４には、集計部１３がランキングデータ作成処理（図５のステップＳ１６）で作成したランキングが表示されている。
【００７１】
図８は、映画「ｃｄｅ」について映画詳細情報５１を表示した場合の表示例である。映画「ｃｄｅ」は、図４（３）の集計テーブルによると、映画「ｆｇｈ」との比較では、矛盾した評価となっている。このため、総合評価５２には、「意見が割れています」と表示されている。また、参考データ５３には、集計テーブルにおいて同数であった評価についての詳細情報が表示される。
【００７２】
＜ハードウェア構成＞
図９を参照して評価集計装置１０のハードウェア構成について説明する。図９は、本発明の実施形態に係る評価集計装置１０のハードウェア構成の一例を示す図である。
【００７３】
評価集計装置１０は、制御部１０１を構成するＣＰＵ（Ｃｅｎｔｒａｌ  Ｐｒｏｃｅｓｓｉｎｇ  Ｕｎｉｔ）１（１０１０）（マルチプロセッサ構成ではＣＰＵ２（１０１２）等複数のＣＰＵが追加されてもよい）、バスライン１００５、通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、ＵＳＢポート１０９０、Ｉ／Ｏコントローラ１０７０、ならびにキーボード及びマウス１１００等の入力手段や表示装置１０２２を備える。
【００７４】
Ｉ／Ｏコントローラ１０７０には、テープドライブ１０７２、ハードディスク１０７４、光ディスクドライブ１０７６、半導体メモリ１０７８、等の記憶手段を接続することができる。
【００７５】
ＢＩＯＳ１０６０は、各サーバの起動時にＣＰＵ１（１０１０）が実行するブートプログラムや、各サーバのハードウェアに依存するプログラム等を格納する。
【００７６】
記憶部を構成するハードディスク１０７４は、評価集計装置１０がサーバとして機能するための各種プログラム及び本発明の機能を実行するプログラムを記憶しており、さらに必要に応じて各種データベース（基準データ記憶部１６、評価結果記憶部１７、集計データ記憶部１８、ランキングデータ記憶部１９等）を構成可能である。
【００７７】
光ディスクドライブ１０７６としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１０７７を使用する。光ディスク１０７７から光ディスクドライブ１０７６によりプログラムまたはデータを読み取り、Ｉ／Ｏコントローラ１０７０を介してメインメモリ１０５０またはハードディスク１０７４に提供することもできる。
【００７８】
評価集計装置１０に提供されるプログラムは、ハードディスク１０７４、光ディスク１０７７、またはメモリーカード等の記録媒体に格納されて提供される。このプログラムは、Ｉ／Ｏコントローラ１０７０を介して、記録媒体から読み出され、または通信Ｉ／Ｆ１０４０を介してダウンロードされることによって、評価集計装置１０にインストールされ実行されてもよい。
【００７９】
前述のプログラムは、内部または外部の記憶媒体に格納されてもよい。ここで、記憶部１０７を構成する記憶媒体としては、ハードディスク１０７４、光ディスク１０７７、またはメモリーカードの他に、ＭＤ等の光磁気記録媒体、テープ媒体を用いることができる。また、専用通信回線やインターネットに接続されたサーバシステムに設けたハードディスク１０７４または光ディスクライブラリ等の記憶装置を記録媒体として使用し、通信回線を介してプログラムを評価集計装置１０に提供してもよい。
【００８０】
ここで、表示装置１０２２は、ユーザにデータの入力を受け付ける画面を表示したり、評価集計装置１０による演算処理結果の画面を表示したりするものであり、ブラウン管表示装置（ＣＲＴ）、液晶表示装置（ＬＣＤ）等のディスプレイ装置を含む。
【００８１】
ここで、入力手段は、ユーザによる入力の受付を行うものであり、キーボード及びマウス１１００等により構成してよい。
【００８２】
また、通信Ｉ／Ｆ１０４０は、各サーバを専用ネットワークまたは公共ネットワークを介して端末と接続できるようにするためのネットワーク・アダプタである。通信Ｉ／Ｆ１０４０は、モデム、ケーブル・モデム及びイーサネット（登録商標）・アダプタを含んでよい。
【００８３】
以上の例は、評価集計装置１０について主に説明したが、コンピュータに、プログラムをインストールして、そのコンピュータをサーバ装置として動作させることにより各機能を実現することもできる。したがって、本実施形態の評価集計装置１０により実現される機能は、前述の方法を当該コンピュータにより実行することにより、あるいは、前述のプログラムを当該コンピュータに導入して実行することによっても実現可能である。
【００８４】
サーバ２０及びクライアント装置３０も、前述の評価集計装置１０と同様な構成を持つ。また、クライアント装置３０について、本実施形態ではいわゆるＰＣ（Ｐｅｒｓｏｎａｌ  Ｃｏｍｐｕｔｅｒ）で実現した例について説明したが、さらに、本発明の原理が適用可能である限り、携帯電話、ＰＤＡ（Ｐｅｒｓｏｎａｌ  Ｄａｔａ  Ａｓｓｉｓｔａｎｔ）、ゲーム機等の様々な端末で実現してよい。
【００８５】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【００８６】
図６のランキングデータ作成処理において、総合評価が矛盾する（図６のステップＳ２４でＹＥＳの場合）とは、集計データの総合評価が複数格納されている場合であるとしたがこれに限らない。例えば、ステップＳ２６の処理において、ＹＥＳと判別されるまでに行われる処理全体において、矛盾する組み合わせが生じた場合にステップＳ２４でＹＥＳと判別するようにしてもよい。例えば、評価対象がＡＢＣＤとあった場合、総合評価がＡ＜Ｂ、Ａ＞Ｃ、Ａ＜Ｄ、Ｂ＞Ｄ、Ｂ＜Ｃ、Ｃ＜Ｄであるとする。この場合、Ｂ＜Ｃを除くと、Ｂ＞Ｄ＞Ａ＞Ｃという順位に矛盾無くランキングを作成することができる。すると、Ｂ＜Ｃのみが全体に対して矛盾することとなるので、図６のステップＳ２５において、この組み合わせを除外してランキングを作成する。そして、Ｂ＜Ｃという評価について、参考データ５３にその旨を表示する。
【００８７】
上述の実施形態では、評価対象を映画であるとして説明したが、これに限らず、飲食店や、化粧品、小物類、ブログ、スポーツ等の試合、音楽、ビデオやＤＶＤ等のメディア、インナーネット上の動画、テレビやラジオの番組、ドラマ、演劇等の舞台作品、小説やマンガ等の単行本、雑誌類等、ユーザが何らかの物や役務等についての評価を行うことができるものに適用することができる。
【符号の説明】
【００８８】
１０  評価集計装置
１１  評価データ受信部
１２  相対評価部
１３  集計部
１４  データ送信部
１６  基準データ記憶部
１７  評価結果記憶部
１８  集計データ記憶部
１９  ランキングデータ記憶部
２０  サーバ
３０  クライアント装置
４０  インターネット
【図１】
2010165009.tif 000003
【図２】
2010165009.tif 000004
【図３】
2010165009.tif 000005
【図４】
2010165009.tif 000006
【図５】
2010165009.tif 000007
【図６】
2010165009.tif 000008
【図７】
2010165009.tif 000009
【図８】
2010165009.tif 000010
【図９】
2010165009.tif 000011